(57)【要約】【課題】ＦＯＴのリードフレームの曲がりを防止することが可能な、また、外れ防止や光損失を最小限に抑えることが可能な光コネクタを提供する。【解決手段】光コネクタハウジング３のＦＯＴ収容室１０にＦＯＴ２を圧入によって収容する。この時、ＦＯＴ２を光コネクタハウジング３の後方から前方に向けて移動させるようにして収容する。ＦＯＴ２を収容すると、ＦＯＴ本体６の下部とリードフレーム７の第二の部分７ｂとの間には、凸部１２が差し込まれる。ＦＯＴ２を収容した後、ＦＯＴ２の収容方向と同じ方向にＦＯＴカバー４を移動させてこのＦＯＴカバー４を光コネクタハウジング３に嵌合係止させる。ＦＯＴカバー４を光コネクタハウジング３に嵌合係止させると、リードフレーム７の第一の部分７ａはこの前後から凸部１２、１６によって挟み込まれる。【選択図】図３
2010181523.tif 000002
【特許請求の範囲】
【請求項１】
ＦＯＴ本体と、該ＦＯＴ本体から上下方向にのびる第一の部分、該第一部分に連続し略前後方向にのびる第二の部分、及び該第二の部分に連続し上下方向にのびる第三の部分を有する複数のリードフレームと、を備えるＦＯＴ（Fiber Optic Transceiver ）を含むとともに、
前記ＦＯＴ本体と前記第二の部分との間に差し込まれ前記第一の部分をこの前後から挟み込む樹脂製の一対の凸部を含む
ことを特徴とする光コネクタ。
【請求項２】
請求項１に記載の光コネクタにおいて、
前記一対の凸部を、前記ＦＯＴを収容するＦＯＴ収容室を有する光コネクタハウジングと、前記ＦＯＴ本体の後側に配置される本体後側配置部品とに設ける
ことを特徴とする光コネクタ。
【請求項３】
請求項２に記載の光コネクタにおいて、
前記ＦＯＴ収容室を、前記光コネクタハウジングの後方から前方に向けて前記ＦＯＴを収容する形状に形成する一方、
前記本体後側配置部品を、前記ＦＯＴの収容方向と同じ方向に移動させて前記光コネクタハウジングに嵌合係止させる形状、及び前記ＦＯＴに接触する形状に形成する
ことを特徴とする光コネクタ。
【請求項４】
請求項３に記載の光コネクタにおいて、
導電性を有するシールドケースを更に含むとともに、該シールドケースに前記本体後側配置部品を前方へ押圧する押圧部を設ける
ことを特徴とする光コネクタ。
【発明の詳細な説明】
【技術分野】
【０００１】
本発明は、ＦＯＴ（Fiber Optic Transceiver ）を含む光コネクタに関する。
【背景技術】
【０００２】
光コネクタを構成するＦＯＴ（Fiber Optic Transceiver ）は、光素子を有するＦＯＴ本体と、このＦＯＴ本体からのびる複数のリードフレーム（回路基板接続用のピン）とを有している。ＦＯＴは、この外側をシールドケースで覆うことにより電磁的なシールドがなされるようになっている。尚、ＦＯＴは、光変換モジュール、光素子モジュールなどと呼ばれることもある。
【０００３】
下記特許文献１には、シールドケースで覆う作業の際の、ＦＯＴのリードフレームの位置ズレを防止するための取付補助具に関する技術が開示されている。取付補助具には、リードフレームを保持するためのアライメント部が形成されている。ＦＯＴのリードフレームは、上下方向に真っ直ぐな形状ではなく、前後方向に傾斜する部分を有している。リードフレームは、回路基板に差し込まれて半田付けされる先端側が上下方向に真っ直ぐな形状になっており、傾斜する部分はＦＯＴ本体側に配置されている。
【０００４】
開示技術によれば、アライメント部の上からＦＯＴを真っ直ぐ下に移動させ、そして、リードフレームをアライメント部に差し込むようにすると、リードフレームはアライメント部により保持された状態になる。従って、リードフレームを保持した状態のままでＦＯＴをシールドケースで覆うようにすれば、この覆う作業の最中に誤ってリードフレームの位置がずれてしまうようなことはない。
【０００５】
ＦＯＴをシールドケースで覆った後、取付補助具は光コネクタハウジングに嵌合係止されるようになっている。取付補助具は、光コネクタハウジングの下方から上方へ真っ直ぐに移動させることにより光コネクタハウジングに対して嵌合係止されるようになっている。
【先行技術文献】
【特許文献】
【０００６】
【特許文献１】特開２００５−２６６１３０号公報
【発明の概要】
【発明が解決しようとする課題】
【０００７】
ところで、上記従来技術にあっては、アライメント部の上からＦＯＴを真っ直ぐ下に移動させ、そして、リードフレームをアライメント部に対し差し込むような構造になっていることから、傾斜する部分を有するリードフレームは、下方からの力が加わった場合に上方へ曲がってしまう虞があるという問題点を有している（回路基板の穴に正確にリードフレームの先端側を差し込むことができないと、曲がりの原因となる下方からの力がリードフレームに作用してしまうことになる。リードフレームは傾斜する部分を有することから、真っ直ぐな形状に比べて曲がり易いと言える）。
【０００８】
また、上記従来技術にあっては、光コネクタを回路基板から抜く必要がある場合、光コネクタを上方へ引き上げると、取付補助具が光コネクタハウジングから外れてしまう虞があるという問題点を有している（取付補助具は、光コネクタハウジングの下方から上方へ真っ直ぐに移動する嵌合係止構造を有することから、外れが生じてしまう虞がある。尚、取付補助具の移動方向はＦＯＴの光軸方向と異なることから、ＦＯＴと例えば光ファイバとの間に間隙がある場合、この間隙が狭まるようなことはない。従って、構造上、光損失を最小限に抑えることができないという問題点も有する）。
【０００９】
本発明は、上記した事情に鑑みてなされたもので、ＦＯＴのリードフレームの曲がりを防止することが可能な、また、外れ防止や光損失を最小限に抑えることが可能な光コネクタを提供することを課題とする。
【課題を解決するための手段】
【００１０】
上記課題を解決するためになされた請求項１記載の本発明の光コネクタは、ＦＯＴ本体と、該ＦＯＴ本体から上下方向にのびる第一の部分、該第一部分に連続し略前後方向にのびる第二の部分、及び該第二の部分に連続し上下方向にのびる第三の部分を有する複数のリードフレームと、を備えるＦＯＴ（Fiber Optic Transceiver ）を含むとともに、前記ＦＯＴ本体と前記第二の部分との間に差し込まれ前記第一の部分をこの前後から挟み込む樹脂製の一対の凸部を含むことを特徴としている。
【００１１】
このような特徴を有する本発明によれば、曲がりの原因となる力がリードフレームに作用したとしても、リードフレームはこの第一の部分が一対の凸部によって前後から挟み込まれているため、凸部の下面に第二の部分が当接し、一定以上の曲がりが防止される。
【００１２】
請求項２記載の本発明の光コネクタは、請求項１に記載の光コネクタにおいて、前記一対の凸部を、前記ＦＯＴを収容するＦＯＴ収容室を有する光コネクタハウジングと、前記ＦＯＴ本体の後側に配置される本体後側配置部品とに設けることを特徴としている。
【００１３】
このような特徴を有する本発明によれば、光コネクタハウジングと本体後側配置部品とに一対の凸部の一方と他方とが設けられる。本体後側配置部品としては、後述する発明を実施するための最良の形態の欄で挙げるような「ＦＯＴカバー」などがある。
【００１４】
請求項３記載の本発明の光コネクタは、請求項２に記載の光コネクタにおいて、前記ＦＯＴ収容室を、前記光コネクタハウジングの後方から前方に向けて前記ＦＯＴを収容する形状に形成する一方、前記本体後側配置部品を、前記ＦＯＴの収容方向と同じ方向に移動させて前記光コネクタハウジングに嵌合係止させる形状、及び前記ＦＯＴに接触する形状に形成することを特徴としている。
【００１５】
このような特徴を有する本発明によれば、光コネクタを回路基板から抜く必要がある場合、光コネクタを上方へ引き上げても、この引き上げ方向と本体後側配置部品の嵌合係止方向とが異なることから、本体後側配置部品やＦＯＴの外れが生じることはない。
【００１６】
請求項４記載の本発明の光コネクタは、請求項３に記載の光コネクタにおいて、導電性を有するシールドケースを更に含むとともに、該シールドケースに前記本体後側配置部品を前方へ押圧する押圧部を設けることを特徴としている。
【００１７】
このような特徴を有する本発明によれば、本体後側配置部品はシールドケースの押圧部により前方へ押圧され、ＦＯＴは本体後側配置部品を介して前方へ、言い換えれば光軸方向に押圧される。ＦＯＴと例えば光ファイバとの間に間隙がある場合は、この間隙が狭められる。
【発明の効果】
【００１８】
請求項１に記載された本発明によれば、一対の凸部によりＦＯＴのリードフレームの一定以上の曲がりを防止することができるという効果を奏する。また、請求項２に記載された本発明によれば、一対の凸部のより良い配置を提案することができるという効果を奏する。
【００１９】
請求項３に記載された本発明によれば、本体後側配置部品やＦＯＴの外れを防止することができるという効果を奏する。また、請求項４に記載された本発明によれば、光損失を最小限に抑えることができるという効果を奏する。
【図面の簡単な説明】
【００２０】
【図１】本発明の光コネクタの一実施の形態を示す分解斜視図である。
【図２】ＦＯＴの拡大斜視図である。
【図３】光コネクタの縦断面図である。
【図４】光コネクタを底面側から見た斜視図である。
【図５】光コネクタの横断面図である。
【発明を実施するための形態】
【００２１】
以下、図面を参照しながら説明する。図１は本発明の光コネクタの一実施の形態を示す分解斜視図である。また、図２はＦＯＴの拡大斜視図、図３は光コネクタの縦断面図、図４は光コネクタを底面側から見た斜視図、図５は光コネクタの横断面図である。
【００２２】
図１において、引用符号１は本発明の光コネクタを示している。光コネクタ１は、図示しない回路基板に実装されるレセプタクルタイプのものであって、ＦＯＴ（Fiber Optic Transceiver ）２と、光コネクタハウジング３と、ＦＯＴカバー４（本体後側配置部品）と、シールドケース５とを備えて構成されている。先ず、各構成部材について説明する（図１中の矢印Ｐを前後方向、矢印Ｑを上下方向、矢印Ｒを左右方向と定義するものとする）。
【００２３】
図１及び図２において、上記ＦＯＴ２は、光素子を有するＦＯＴ本体６と、このＦＯＴ本体６から伸びる複数の基板接続用のピン、すなわちリードフレーム７とを有している。ＦＯＴ２は、発光側のものと受光側のものの二つが備えられている。発光側のものは発光素子が設けられ、受光側のものは受光素子が設けられている。各光素子は、対応するリードフレーム７にワイヤーボンディング等で接続されている。
【００２４】
ＦＯＴ本体６の後面は、平坦に形成されている。この後面を介してＦＯＴ本体６は、ＦＯＴカバー４及びシールドケース５により前方へと押圧されるようになっている。ＦＯＴ本体６の前面には、光学的な接続の際の接続相手案内部分となる環状案内部８が形成されている。
【００２５】
リードフレーム７は、断面四角形状であって、ＦＯＴ本体６の下部から下方向にのびる第一の部分７ａと、この第一の部分７ａに連続し略前方向又は後方向にのびる第二の部分７ｂと、第二の部分７ｂに連続し下方向にのびる第三の部分７ｃとを有している。第三の部分７ｃの先端は、図示しない回路基板に差し込まれて対応する回路に半田付けされるようになっている。リードフレーム７は、図示の如く、千鳥状に配置されている。
【００２６】
図１及び図３において、上記光コネクタハウジング３は、絶縁性を有する合成樹脂製の部材であって、ハウジング前面を開口させて形成される嵌合部９と、ハウジング後面を開口させて形成されるＦＯＴ収容室１０とを有している。嵌合部９は、図示しないプラグタイプの光コネクタが嵌合する部分として形成されている。ＦＯＴ収容室１０は、二つのＦＯＴ２をそれぞれ収容する部分として形成されている。嵌合部９とＦＯＴ収容室１０は、筒部１１によって連通するように形成されている。ＦＯＴ収容室１０の下部には、後方に突出し且つ左右方向にのびる凸部１２が形成されている。
【００２７】
凸部１２は、ＦＯＴ２をＦＯＴ収容室１０に収容した状態で、ＦＯＴ本体６の下部とリードフレーム７の第二の部分７ｂとの間に差し込まれるように配置形成されている。凸部１２は、この突出先端面が第一の部分７ａに対向するとともに、下面が第二の部分７ｂに対向し、さらには上面がＦＯＴ本体６の下部に対向するような形状に形成されている。
【００２８】
この他、光コネクタハウジング３は、ＦＯＴ収容室１０の左右両側となる各壁に、ＦＯＴカバー４を嵌合係止させるための係止凹部１３を有している。
【００２９】
上記ＦＯＴカバー４は、絶縁性を有する合成樹脂製の部材であって、ＦＯＴ本体６の後側に配置されるカバー本体１４を有している。カバー本体１４の前側には、ＦＯＴ本体６の後面に面接触するＦＯＴ接触面１５が形成されている。カバー本体１４の前側下部には、前方に突出し且つ左右方向にのびる凸部１６が形成されている。一方、カバー本体１４の後側は、平坦な面となるように形成されている。
【００３０】
凸部１６は、上記凸部１２と対になる部分であって、ＦＯＴ本体６の下部とリードフレーム７の第二の部分７ｂとの間に差し込まれるように配置形成されている。凸部１６は、この突出先端面が第一の部分７ａに対向するとともに、下面が第二の部分７ｂに対向し、さらには上面がＦＯＴ本体６の下部に対向するような形状に形成されている。
【００３１】
尚、凸部１２、１６は、第二の部分７ｂの直上に存在すればよく、平面視略櫛歯状となる形状に各々形成することも可能であるものとする。
【００３２】
ＦＯＴカバー４の左右両側には、光コネクタハウジング３の各係止凹部１３に引っ掛かり嵌合係止される係止アーム１７が形成されている。この係止アーム１７は、前方へ突出するアーム形状に形成されており、先端に係止突起１８を有している。
【００３３】
上記シールドケース５は、導電性を有する金属板をプレス加工することにより形成されている。シールドケース５は、電磁ノイズ対策を施すために備えられている。シールドケース５は、本形態において、光コネクタハウジング３を覆うような箱形の形状に形成されている（一例であるものとする）。
【００３４】
シールドケース５における引用符号１９は図示しない回路基板に対し差し込んで固定をするための固定部を示している。また、引用符号２０はグランド部を示している。グランド部２０は、図示しない回路基板のグランドに半田付けされるようになっている。この他、引用符号２１は板バネ形状の押圧部を示してる。押圧部２１は、ＦＯＴカバー４を介してＦＯＴ２を前方へ押圧するための（カバー本体１４の後側の平坦な面を押圧してＦＯＴ２を前方へ押圧するための）部分として形成されている（押圧部２１で直接ＦＯＴ２を押圧するよりも、ＦＯＴカバー４を介在させて押圧した方が偏りがなくＦＯＴ２に対し均一に力を加えることができるという利点を有する）。引用符号２２は光コネクタハウジング３の凹部２３に引っ掛かり係止される係止片を示している。
【００３５】
次に、上記構成及び構造に基づきながら本発明の光コネクタ１の組み立てについて説明する。
【００３６】
図３に示す如く、光コネクタハウジング３のＦＯＴ収容室１０にＦＯＴ２を（ＦＯＴ本体６を）圧入によって収容する。この時、ＦＯＴ２を光コネクタハウジング３の後方から前方に向けて移動させるようにして収容する。ＦＯＴ２を収容すると、ＦＯＴ本体６の下部とリードフレーム７の第二の部分７ｂとの間には、凸部１２が差し込まれる。
【００３７】
ＦＯＴ２を収容した後、ＦＯＴ２の収容方向と同じ方向にＦＯＴカバー４を移動させてこのＦＯＴカバー４を光コネクタハウジング３に嵌合係止させる。ＦＯＴカバー４を光コネクタハウジング３に嵌合係止させると、リードフレーム７の第一の部分７ａはこの前後から凸部１２、１６によって挟み込まれる。
【００３８】
ＦＯＴカバー４の嵌合係止に係る作業の後、光コネクタハウジング３を覆うようにしてシールドケース５を装着すると、一連の組み立てが完了する（図３ないし図５参照）。
【００３９】
以上、図１ないし図５を参照しながら説明してきたように、本発明によれば、図３の矢印で示す如くの曲がりの原因となる力がリードフレーム７に作用したとしても、リードフレーム７はこの第一の部分７ａが一対の凸部１２、１６によって前後から挟み込まれているため、凸部１２、１６の下面に第二の部分７ｂが当接する。従って、本発明によれば、結果、一定以上の曲がりを防止することができるという効果を奏する。
【００４０】
また、本発明によれば、光コネクタ１を図示しない回路基板から抜く必要がある場合、光コネクタ１を上方へ引き上げても、この引き上げ方向とＦＯＴカバー４の嵌合係止方向とが異なることから、ＦＯＴカバー４やＦＯＴ２の外れを防止することができるという効果を奏する。
【００４１】
さらに、本発明によれば、ＦＯＴカバー４はシールドケース５の押圧部２１により前方へ押圧され、ＦＯＴ２はＦＯＴカバー４を介して前方へ、言い換えれば光軸方向に押圧される。従って、本発明によれば、ＦＯＴ２と例えば光ファイバとの間に間隙がある場合には、この間隙を狭めることができるという効果を奏する。
【００４２】
本発明によれば、ＦＯＴ２のリードフレーム７の曲がりを防止することが可能な、また、外れ防止や光損失を最小限に抑えることが可能な光コネクタ１を提供することができるという効果を奏する。
【００４３】
本発明は本発明の主旨を変えない範囲で種々変更実施可能なことは勿論である。
【００４４】
本発明は、光コネクタと電気コネクタの両方の機能を有するハイブリッドコネクタや、ピッグテールタイプの光コネクタにも適用することが可能であるものとする。
【符号の説明】
【００４５】
１  光コネクタ
２  ＦＯＴ
３  光コネクタハウジング
４  ＦＯＴカバー（本体後側配置部品）
５  シールドケース
６  ＦＯＴ本体
７  リードフレーム
７ａ  第一の部分
７ｂ  第二の部分
７ｃ  第三の部分
８  環状案内部
９  嵌合部
１０  ＦＯＴ収容室
１１  筒部
１２  凸部
１３  係止凹部
１４  カバー本体
１５  ＦＯＴ接触面
１６  凸部
１７  係止アーム
１８  係止突起
１９  固定部
２０  グランド部
２１  押圧部
２２  係止片
２３  凹部
【図１】
2010181523.tif 000003
【図２】
2010181523.tif 000004
【図３】
2010181523.tif 000005
【図４】
2010181523.tif 000006
【図５】
2010181523.tif 000007